(57)【要約】【課題】一般家庭においても高い精度の尿検査を容易に実行することができる尿検査器具、尿検査方法、呈色反応検査器具、及び呈色反応検査方法を提供すること。【解決手段】内底面12bに尿検査試薬16が設けられた容器12の開口部12a上に載置され、且つ該開口部12aに対応する領域にはデジタルカメラ14の鏡筒部14aを挿入する為の貫通孔部10aが設けられており、該貫通孔部10aに上記鏡筒部14aが挿入されるように当該尿検査器具10上に上記デジタルカメラ14が載置される尿検査器具10。【選択図】      図１
2009229212.tif 000002
【特許請求の範囲】
【請求項１】
内底面に尿検査試薬が設けられた容器の開口部上に載置され、且つ該開口部に対応する領域にはデジタルカメラの鏡筒部を挿入する為の貫通孔部が設けられており、該貫通孔部に上記鏡筒部が挿入されるように当該尿検査器具上に上記デジタルカメラが載置されることを特徴とする尿検査器具。
【請求項２】
上記容器は遮光処理されていることを特徴とする請求項１に記載の尿検査器具。
【請求項３】
上記容器と当該尿検査器具との相対的位置を位置決めする為の容器位置決め手段と、
上記デジタルカメラと当該尿検査器具との相対的位置を位置決めする為のカメラ位置決め手段と、
を含むことを特徴とする請求項１に記載の尿検査器具。
【請求項４】
上記容器内部を照明する為の照明手段を含むことを特徴とする請求項１に記載の尿検査器具。
【請求項５】
上記照明手段は、上記貫通孔部を囲むようにリング状に設けられていることを特徴とする請求項４に記載の尿検査器具。
【請求項６】
上記容器における上記内底面には、上記デジタルカメラのピント調整の為のターゲットが設けられていることを特徴とする請求項１に記載の尿検査器具。
【請求項７】
当該尿検査器具は、無色透明な材料から成るカバー部材を含み、該カバー部材を介して上記容器の開口部上に載置されることを特徴とする請求項１に記載の尿検査器具。
【請求項８】
内底面に呈色反応検査試薬が設けられた容器の開口部上に載置され、且つ該開口部に対向する領域にはデジタルカメラの鏡筒部を挿入する為の貫通孔部が設けられており、該貫通孔部に上記鏡筒部が挿入されるように当該呈色反応検査器具上に上記デジタルカメラが載置されることを特徴とする呈色反応検査器具。
【請求項９】
上記容器は遮光処理されていることを特徴とする請求項８に記載の呈色反応検査器具。
【請求項１０】
上記容器と当該呈色反応検査器具との相対的位置を位置決めする為の容器位置決め手段と、
上記デジタルカメラと当該呈色反応検査器具との相対的位置を位置決めする為のカメラ位置決め手段と、
を含むことを特徴とする請求項８に記載の呈色反応検査器具。
【請求項１１】
上記容器内部を照明する為の照明手段を含むことを特徴とする請求項８に記載の呈色反応検査器具。
【請求項１２】
上記照明手段は、上記貫通孔部を囲むようにリング状に設けられていることを特徴とする請求項１１に記載の呈色反応検査器具。
【請求項１３】
上記容器における上記内底面には、上記デジタルカメラのピント調整の為のターゲットが設けられていることを特徴とする請求項８に記載の呈色反応検査器具。
【請求項１４】
当該呈色反応検査器具は、無色透明な材料から成るカバー部材を含み、該カバー部材を介し、上記容器の開口部上に載置されることを特徴とする請求項８に記載の呈色反応検査器具。
【請求項１５】
当該尿検査容器の開口部上に請求項１に記載の尿検査器具を介してデジタルカメラが載置された際の上記デジタルカメラの撮影視野内の当該尿検査容器の内底面に設けられた尿検査試薬と、
上記尿検査試薬近傍に設けられ、上記デジタルカメラによる撮影時のピント調整の為のピント調整用ターゲット表示と、
を具備することを特徴とする尿検査容器。
【発明の詳細な説明】
【技術分野】
【０００１】
本発明は、尿検査器具、呈色反応検査器具、及び尿検査容器に関する。
【背景技術】
【０００２】
人体が摂取した食べ物及び飲み物は、主として当該人体のエネルギー源として利用され、残り滓のうち水溶性のものが腎臓により処理されて尿として体外に捨てられる。尿中には尿素やクレアチニンなどの不要物だけでなく、ブドウ糖、タンパク質、ビタミン、ホルモン、カリウム、ナトリウム、血液細胞、あるいは尿道の細胞なども微量ながら含まれる。そして、尿中におけるこれらの物質の量及び割合等の変化は、糖尿病、高血圧、白血病、及び膠原病等の各種疾病の有無やその程度等を示している。
【０００３】
つまり、尿中に含まれる成分の変化をチエックすることで健康状態を知ることができる為、尿は健康状態を示す貴重なバロメーターであると言える。従って、一般に尿検査は健康診断の１項目として必ず行われており、血液検査と共に二大検査項目の一つをなしている。
【０００４】
一般に尿検査においては、まず定性検査によって検体をスクリーニングし、その結果が陽性である検体に限り、更に尿沈渣等の精密な定量検査を行う。一方、定性検査では、尿中に尿検査試薬（尿検査試験紙）を浸し、該尿検査試薬の色の変化を参照して判定する方法による検査が一般的である。
【０００５】
ところで、このような尿検査に関連する技術としては、例えば次のような技術が提案されている。
【０００６】
すなわち、特許文献１には、水溶性の紙によって形成されると共に、当該コップの底面には複数の被試験項目に対応した試薬が塗布されている尿試験用コップが開示されている。この特許文献１に開示されている尿試験用コップによれば、使用後の処理が容易であり、且つ採尿量が少量で足りる。
【０００７】
また、特許文献２には、当該容器の内面に尿検査用試薬区域が設けられ、且つ当該容器の上端部に吸水層が設けられた尿検査容器が開示されている。
【０００８】
さらに、特許文献３には、尿カップ内に複数個の試薬を配設してなる尿試験紙を取り付け、尿カップの少なくとも尿試験紙を取り付けた部分に対応する箇所を透明にした尿カップが開示されている。この特許文献３に開示されている尿カップによれば、採尿後のカップを尿自動分析装置へセットすると、尿自動分析装置の分光測色計が尿カップの透明部を通じて尿カップ内の尿試験紙の色の変化を読み取り、基準の色と比較することで、当該検体が更に尿沈渣等の定量検査を必要とするか否かを自動的に判断する。
【特許文献１】実開昭６４−２６１５６号公報
【特許文献２】実開昭６３−９７８５７号公報
【特許文献３】特開平１１−３０６１４号公報
【発明の開示】
【発明が解決しようとする課題】
【０００９】
ところで、上記特許文献１及び上記特許文献２に開示されている技術による尿検査は、ユーザーによる目視による検査である。ここで、尿検査は、試薬の反応を適切な時間帯内に正確に観察して指標と比較判定しなければならない検査であることを鑑みると、上記特許文献１及び上記特許文献２に開示されている技術は、一般家庭における尿検査に適しているとは言い難い。換言すれば、上記特許文献１及び上記特許文献２に開示されている技術による尿検査は、当該尿検査が一般家庭において行われる場合、高精度の検査であるとは言えない。
【００１０】
また、上記特許文献３に開示されている技術は、次のような課題を抱えている。すなわち、上記特許文献３に開示されている技術によれば、尿カップにおける上記透明な箇所の汚れ及び変色等により検出精度が低下してしまう。また、上記透明な箇所を設ける為に製造コストが高くなってしまう。ここで、当該尿カップをリユース仕様とすることでコストを下げることも考えられるが、一般家庭においては使用後の洗浄が不完全になる傾向がある為、リユース仕様にすると検査精度が低下してしまう。さらには、上記分光測色計を含む尿自動分析装置が高価であることを鑑みると、一般家庭における普及を期待することはできない。
【００１１】
本発明は、上記の事情に鑑みてなされたものであり、一般家庭においても高い検査精度の尿検査を容易に実行することができる尿検査器具、呈色反応検査器具、及び尿検査容器を提供することを目的とする。
【課題を解決するための手段】
【００１２】
上記の目的を達成するために、本発明の第１の態様による尿検査器具は、内底面に尿検査試薬が設けられた容器の開口部上に載置され、且つ該開口部に対応する領域にはデジタルカメラの鏡筒部を挿入する為の貫通孔部が設けられており、該貫通孔部に上記鏡筒部が挿入されるように当該尿検査器具上に上記デジタルカメラが載置されることを特徴とする。
【００１３】
上記の目的を達成するために、本発明の第２の態様による呈色反応検査器具は、内底面に呈色反応検査試薬が設けられた容器の開口部上に載置され、且つ該開口部に対向する領域にはデジタルカメラの鏡筒部を挿入する為の貫通孔部が設けられており、該貫通孔部に上記鏡筒部が挿入されるように当該呈色反応検査器具上に上記デジタルカメラが載置されることを特徴とする。
【００１４】
上記の目的を達成するために、本発明の第３の態様による尿検査容器は、当該尿検査容器の開口部上に請求項１に記載の尿検査器具を介してデジタルカメラが載置された際の上記デジタルカメラの撮影視野内の当該尿検査容器の内底面に設けられた尿検査試薬と、上記尿検査試薬近傍に設けられ、上記デジタルカメラによる撮影時のピント調整の為のピント調整用ターゲット表示と、を具備することを特徴とする。
【発明の効果】
【００１５】
本発明によれば、一般家庭においても高い検査精度の尿検査を容易に実行することができる尿検査器具、呈色反応検査器具、及び尿検査容器を提供することができる。
【発明を実施するための最良の形態】
【００１６】
以下、本発明の一実施形態に係る尿検査装置について、図面を参照して説明する。
【００１７】
図１は、本一実施形態に係る尿検査装置の一構成例を示す側面断面図である。図２は、後述する尿検査器具（以降、アタッチメントと称する）の構成を示す外観図である。図３は、図２に示す矢視Ｂ方向から観た上記アタッチメントの構成を示す外観図である。
【００１８】
図１に示すように、本一実施形態に係る尿検査装置は、アタッチメント１０と、容器１２と、デジタルカメラ１４とを具備する。ここで、上記アタッチメント１０は、図１乃至図３に示すように、貫通孔部１０ａと、突出部１０ｂと、照明部１０ｃと、照明ＳＷ部１０ｄと、カメラ保持部１０ｅと、クッション部１０ｆと、電池蓋１０ｇと、照明部基盤１０ｈと、位置決め凸部１０ｉと、を有する。
【００１９】
上記アタッチメント１０は、上記位置決め凸部１０ｉが上記容器１２における切り欠き部（不図示）に嵌合するように、採尿用の容器１２上に載置される。このとき、上記容器１２における上記開口部１２ａ上には、上記貫通孔部１０ａが位置する。上記貫通孔部１０ａは、上記デジタルカメラ１４の撮影光学系の光路を確保する為の（後述するレンズ鏡筒１４ａを挿入する為の）貫通孔である。
【００２０】
なお、図２及び図３には図示はしていないが、上記アタッチメントにおける上記突出部１０ｂによって、上記アタッチメント１０と上記容器１２との相対的位置が位置決めされる。
【００２１】
また、上記突出部１０ｂは、図１において両矢印Ａで示されるように、当該アタッチメント１０上に載置された上記デジタルカメラ１４の上記レンズ鏡筒１４ａの長さよりも長く設けられている。これは、一般にコンパクトデジタルカメラでは、その電源がＯＮされると、上記レンズ鏡筒１４ａがボディーから繰り出す構成となっていることを考慮に入れた構成である。
【００２２】
つまり、上記アタッチメント１０上に上記デジタルカメラ１４を載置した状態であって、且つそれらを未だ上記容器１２上に載置していない状態において上記レンズ鏡筒１４ａを繰り出した場合であっても、上記レンズ鏡筒１４ａが机等に当たらない（保護される）構成としている。
【００２３】
さらに、上記アタッチメント１０上には、上記デジタルカメラ１４が上記カメラ保持部１０ｅに設けられた上記クッション部１０ｆに挟まれて載置される。このとき、上記貫通孔部１０ａに対して、上記デジタルカメラ１４が具備するレンズ鏡筒１４ａが挿入される。
【００２４】
つまり、上記カメラ保持部１０ｅは、撮影正置時における上記デジタルカメラ１４の上面及び下面を挟み込んで保持するための保持部として機能する。なお、市販のデジタルカメラは各々互いに大きさが異なることを鑑みて、上記カメラ保持部１０ｅには、例えばゴム製の上記クッション部１０ｆが貼付されており、上記クッション部１０ｆを選択的に使用することによって上記カメラ保持部１０ｅの間隔が調整される。また、上記クッション部１０ｆは、上記デジタルカメラ１４の傷付きを防止する機能も担っている。
【００２５】
なお、上記クッション部１０ｆは、例えば図２に示すように直方体形状であって片面に粘着部が設けられており、該粘着部によって上記カメラ保持部１０ｅに対して容易に着脱可能に構成されている。
【００２６】
ところで、図１及び図２に示すように上記貫通孔部１０ａ内には、段差部１０ｍが設けられており、上記デジタルカメラ１４におけるレンズ鏡筒１４ａが二段階で伸縮する場合に、一段階目の伸縮部１４ｍが上記段差部１０ｍ内に収まる。また、上記貫通孔部１０ａと上記レンズ鏡筒１４ａとによって、上記アタッチメント１０と上記デジタルカメラ１４との相対的位置が位置決めされる。
【００２７】
上記照明部１０ｃは例えば照明用のＬＥＤであり、図３に示すように上記容器１２に対向する面である上記照明部基盤１０ｈに、上記貫通孔部１０ａの周囲を囲むようにリング状に形成されている。ここで、上記照明部１０ｃがＬＥＤである場合には、上記照明部基盤１０ｈはＬＥＤ基盤である。
【００２８】
上記照明部１０ｃによって、上記容器１２内に採取された尿検査試薬１６が照明される。なお、上記照明部１０ｃの点灯／消灯切換えは、ユーザーによって上記照明ＳＷ部１０ｄが押圧操作されることによって行われる。
【００２９】
また、上記アタッチメント１０は、上記照明部１０ｃに電力を供給する為の電源として電池を用いる。従って、上記アタッチメント１０は、この電池を収納する上記電池を収納する為の電池収納部（不図示）を有しており、該電池収納部（不図示）は、通常時においては上記電池蓋１０ｇにより蓋をされている。電池の入れ替えを行う際には、ユーザーは、上記電池蓋１０ｇを取り外して上記電池収納部（不図示）に電池を装填した後、再び上記電池蓋１０ｇにより、上記電池収納部（不図示）に蓋をする。
【００３０】
以下、上記容器１２について図４（ａ）乃至（ｃ）を参照して説明する。図４（ａ）は、上記容器１２の外表面に対して遮光処理を施して遮光処理部１２ｄを設けた場合の上記容器１２を示す図である。図４（ｂ）は、上記容器１２の内表面に対して遮光処理（例えば黒色化処理）を施して遮光処理部１２ｄを設けた場合の上記容器１２を示す図である。図４（ｃ）は、上記容器１２を開口部１２ａ側から観た場合の上面図である。
【００３１】
図４（ａ）乃至（ｃ）において、符号１２ｃが付されているのは、上記アタッチメント１０が有する上記位置決め凸部１０ｉと嵌合する切り欠き部である。この切り欠き部１２ｃと、上記アタッチメント１０が有する上記位置決め凸部１０ｉとが嵌合することにより、上記アタッチメント１０と上記容器１２との互いの回転方向におけるずれを規制することができる。これにより、上記デジタルカメラ１４による撮影視野と、上記容器１２の底面１２ｂに設けられた尿検査試薬１６との位置関係が決定される。従って、呈色反応後の上記尿検査試薬１６と、判定基準との比較も容易になる。
【００３２】
なお、上記尿検査試薬１６は、上記底面１２ｂにおいて、例えば図４（ｃ）に示すように上記デジタルカメラ１４の撮影視野における水平方向に沿って並べられている。
【００３３】
ところで、図４（ａ），（ｂ）に示すように、上記容器１２に対して遮光処理を施して遮光処理部１２ｄを設けることで、呈色反応後の上記尿検査試薬１６の色をより高い精度で撮影することが可能となる。
【００３４】
ここで、上記容器１２における上記底面１２ｂには、上記尿検査試薬１６の他に、図４（ｃ）に示すように上記デジタルカメラ１４による撮影時のピント調整用のターゲット表示１８が設けられている。
【００３５】
なお、このターゲット表示１８の形状としては、同図に示すように、上記デジタルカメラ１４の撮影視野に対して上下方向に走るマークを含む形状が好ましい。また、上記ターゲット表示１８の色調としては、上記底面１２ｂの色とのコントラストが強い色が好ましい。例えば、上記底面１２ｂの色が黒色の場合、上記ターゲット表示１８の色は白色が好ましい。
【００３６】
以下、本一実施形態に係る尿検査装置の使用方法について、図５に示すフローチャートを参照して説明する。
【００３７】
まず、ユーザーが、上記アタッチメント１０の上記電池収納部（不図示）に電池を装填する（ステップＳ１）。
【００３８】
続いて、ユーザーは、上記アタッチメント１０の有する上記照明ＳＷ部１０ｄを操作し、上記照明部１０ｃを点灯させる（ステップＳ２）。
【００３９】
さらに、ユーザーは、上記アタッチメント１０上に上記デジタルカメラ１４を載置し、上記デジタルカメラ１４の電源をＯＮする（ステップＳ３）。このとき、ユーザーは、上記デジタルカメラ１４をマクロモード(近接撮影モード)に設定しておくことが好ましい。
【００４０】
ここで、ユーザーは、後述する判定基準容器１２−１における開口部１２ａ−１に、上記デジタルカメラ１４を、上記アタッチメント１０を介して載置する（ステップＳ４）。
【００４１】
上記判定基準容器１２−１は、上記尿検査試薬１６の代わりに、呈色反応後の上記尿検査試薬１６と対比する為の判定基準表示（不図示）が設けられている点以外は、上述した容器１２と全く同様の構成の容器である。
【００４２】
このように、尿試験における判定基準として用いる上記判定基準表示（不図示）を、被検体の尿を撮影するデジタルカメラと同様のデジタルカメラで撮影することにより、各種デジタルカメラ間の色再現性の違い及びばらつき等を吸収することができ、より高い検査精度の尿検査が実現する。
【００４３】
このステップＳ４の後、ユーザーは、上記デジタルカメラ１４のレリーズスイッチを押下げ操作して撮影を行う（ステップＳ５）。
【００４４】
続いて、ユーザーは、上記容器１２に尿を採取し、該採取から所定時間経過後に、上記容器１２から尿を廃棄処理する（ステップＳ６）。
【００４５】
その後、ユーザーは、上記デジタルカメラ１４を上記アタッチメント１０上に載置する（ステップＳ７）。
【００４６】
そして、ユーザーは、上記デジタルカメラ１４のレリーズスイッチを押下げ操作して撮影を行う（ステップＳ８）。
【００４７】
なお、上記ステップＳ６における尿の廃棄処理の際に、上記開口部１２ａに付着した尿によって上記アタッチメント１０が汚れてしまうことを防ぐ為に、図６に示すカバー部材２０を更に利用してもよい。図６は、カバー部材２０を用いた場合の、尿検査装置の構成例を示す側面断面図である。
【００４８】
同図に示すように、上記カバー部材２０は、上記レンズ鏡筒１４ａに対応した凹みである凹み部２０ａを有する形状の為、上記レンズ鏡筒１４ａとは接触しない。
【００４９】
ここで、上記カバー部材２０を構成する材料は無色透明な材料であり、例えばポリカーボネ−トやアクリル等を挙げることができる。また、射出成形により製造することで、より安価に上記カバー部材２０を製造することが可能である。
【００５０】
なお、上記カバー部材２０のうち、少なくとも上記デジタルカメラ１４の上記レンズ鏡筒１４ａと対向する部分、及び上記アタッチメント１０の上記照明部１０ｃと対向する部分が、上述したような無色透明な材料で構成されていれば良い。
【００５１】
ところで、上記カバー部材２０のうち上記容器１２側には、図３に示す突出部１０ｂと同様の形状の突出部２０ｂが設けられており、この突出部２０ｂにより上記容器１２との位置決めが為される。
【００５２】
同様に、上記カバー部材２０のうち上記アタッチメント１０側には、図４（ｃ）に示す切り欠き部１２ｃと同様の形状の切り欠き部２０ｃが設けられており、この切り欠き部２０ｃにより上記アタッチメント１０との位置決めが為される。
【００５３】
このような構成のカバー部材２０を介して、上記アタッチメント１０を上記容器１２の上記開口部１２ａ上に載置することにより、上記アタッチメント１０が汚れることを防ぐことができる。つまり、当該尿検査後には、上記カバー部材２０のみを洗浄すればよく、検査後の処理が非常に簡易になる。また、複数回使用した後であって洗浄によっても汚れが落ちにくくなった場合であっても、上記カバー部材２０のみを新たに購入して交換すればよく、当該交換に係る費用も安価で済む。
【００５４】
上述したように、上記カバー部材２０を使用することにより、上記アタッチメント１０及び上記デジタルカメラ１４を汚してしまうことを気にせずに、尿検査を実行することが可能となる。
【００５５】
以上説明したように、本一実施形態によれば、一般家庭においても高い検査精度の尿検査を容易に実行することができる尿検査器具、呈色反応検査器具、及び尿検査容器を提供することができる。
【００５６】
より具体的には、本一実施形態によれば、一般家庭において既に普及している通常のデジタルカメラを用いて、判定基準表示及び呈色反応後の尿検査試薬１６を撮影することにより、当該撮影の後に例えばＰＣ等を用いて表示手段上に撮影画像を表示させて、後に充分な時間をかけて判定基準表示の色と尿検査試薬の色とを比較検討することができる。
【００５７】
従って、一般家庭等において尿検査に不慣れなユーザーが尿検査を行う際に、検査精度を向上させることができる。また、撮影画像の画像データを医療従事者に送信する等して、医療従事者に上記比較検討を依頼することで、検査精度をより高めることも可能である。
【００５８】
以上、一実施形態に基づいて本発明を説明したが、本発明は上述した実施形態に限定されるものではなく、本発明の要旨の範囲内で、種々の変形及び応用が可能なことは勿論である。例えば、次のような変形例が考えられる。
【００５９】
［第１変形例］
例えば、上記照明ＳＷ部１０ｄを、図７に示すように上記アタッチメント１０のうち上記デジタルカメラ１４と当接する箇所に設けてもよい。
【００６０】
すなわち、上記デジタルカメラ１４が載置される箇所に上記照明ＳＷ部１０ｄを設けることで、上記デジタルカメラ１４が当該アタッチメント１０に載置されると必ず上記照明ＳＷ部１０ｄが押下げされ、上記照明部１０ｃが点灯する構成とする。このような構成により、上記照明部１０ｃの点灯忘れを防止することができる。
【００６１】
なお、図７に示す例では上記照明ＳＷ部１０ｄをプッシュ型のＳＷとして構成しているが、この他にも、たとえば光学的(例えばフォトリフレクタ)手段を用いた光センサを用いて構成しても勿論よい。つまり、上記デジタルカメラ１４が当該アタッチメント１０に載置されたことを検知可能なＳＷであれば、どのような構成のＳＷでも良い。
【００６２】
［第２変形例］
図８(ａ)，（ｂ）は、本第２変形例における上記容器１２の上面図である。
【００６３】
図８（ａ）に示すように、上記底面１２ｂに、上記尿検査試薬１６及び上記ターゲット表示１８の他に、上述した判定基準表示１７を更に設けてもよい。これにより、同一画像上に呈色反応後の尿検査試薬１６と判定基準表示１７とが収められる為、撮影後の表示手段等上での色比較検討を、より簡便に行うことができる。また、デジタルカメラ１４の撮影時刻によるばらつき、照明の色温度の変化等によるばらつきも吸収することができる。つまり、より検査精度を高めることができる。
【００６４】
さらに、図８（ｂ）に示すように、判定基準表示として、陰性と擬陽性との境目を示す判定基準表示１７Ａと、擬陽性と陽性との境目を示す判定基準表示１７Ｂと、を上記尿検査試薬１６に平行して設けても勿論よい。これにより、より検査精度を高めることができる。
【００６５】
［第３変形例］
図９は、本第３変形例に係る尿検査装置の構成例を示す図である。
【００６６】
同図に示すように、本第３変形例では、上記容器１２を容器保持部材３１で保持することで、上記容器１２を安定させる。これにより、上記容器１２が転倒してしまうことを防ぎ、安定した尿検査を行うことができる。
【００６７】
ここで、上記容器保持部材３１は、上記容器１２を収納するカップ収納部３１ａと、上記アタッチメント１０を支持するアタッチメント支持部３１ｂと、を有する。
【００６８】
［第４変形例］
なお、上述した実施形態及び変形例は、尿検査に限らず、その他の体液に関する検査についても適用できることは勿論である。つまり、呈色反応に基づいた判定を行う検査であれば、上述した実施形態及び変形例を適用することができる。つまり、一般家庭においても高い検査精度の呈色反応に基づいた検査を容易に実行することが可能となる。
【００６９】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００７０】
【図１】本発明の一実施形態に係る尿検査装置の構成例を示す側面断面図。
【図２】アタッチメントの構成を示す外観図。
【図３】図２に示す矢視Ｂ方向から観たアタッチメントの構成を示す外観図。
【図４】（ａ）及び（ｂ）は、容器の外観図。（ｃ）は、容器の上面図。
【図５】本発明の一実施形態に係る尿検査装置の使用方法を示すフローチャート。
【図６】カバー部材を用いた場合の、尿検査装置の構成例を示す側面断面図。
【図７】第１変形例におけるアタッチメントの構成を示す外観図。
【図８】第２変形例における容器の上面図。
【図９】第３変形例に係る尿検査装置の構成例を示す図。
【符号の説明】
【００７１】
１０…尿検査器具（アタッチメント）、  １０ａ…貫通孔部、  １０ｂ…突出部、  １０ｃ…照明部、  １０ｄ…照明ＳＷ部、  １０ｅ…カメラ保持部、  １０ｆ…クッション部、  １０ｇ…電池蓋、  １０ｈ…照明部基盤、  １０ｉ…位置決め凸部、  １０ｍ…段差部、  １２…容器、  １２ａ…開口部、  １２ｃ…切り欠き部、  １２ｂ…底面、  １２ｄ…遮光処理部、  １２−１…判定基準容器、  １４…デジタルカメラ、  １４ａ…レンズ鏡筒、  １６…尿検査試薬、  １７…判定基準表示、  １７Ａ，１７Ｂ…判定基準表示、  １８…ターゲット表示、  ２０…カバー部材、  ２０ａ…凹み部、  ２０ｂ…突出部、  ２０ｃ…切り欠き部、  ３１…容器保持部材、  ３１ａ…カップ収納部、  ３１ｂ…アタッチメント支持部。
【図１】
2009229212.tif 000003
【図２】
2009229212.tif 000004
【図３】
2009229212.tif 000005
【図４】
2009229212.tif 000006
【図５】
2009229212.tif 000007
【図６】
2009229212.tif 000008
【図７】
2009229212.tif 000009
【図８】
2009229212.tif 000010
【図９】
2009229212.tif 000011